(57)【要約】      （修正有）【課題】綿棒類似のクリーナであって、より効率的に小さな面積部分や角部における洗浄／清掃の効率を向上させること。【解決手段】長手寸法が１５ｃｍ以下の軸材１１の少なくとも一方の端部に、キューブ型の清掃材本体２０を備え、清掃材本体２０は、綿材、スポンジ材、金属繊維材、のうちいずれか一の素材を用いて成形する。清掃材本体２０を、略立方体形状を呈するキューブ型とするので、洗浄／清掃対象物と清掃材本体との接触を略面接触とすることが容易となり、一回の払拭動作で当接させる面積を、従来の点接触や線接触よりも飛躍的に拡大させることが出来る。また角部の洗浄も容易となる。軸材１１の他端部には清掃材本体２０よりも小さな補助清掃材３０を設ける。【選択図】図１
0003197396.tif 000002
【実用新案登録請求の範囲】
【請求項１】
長手寸法が１５ｃｍ以下の軸材の少なくとも一方の端部に、
キューブ型の清掃材本体を備え、
該清掃材本体は、綿材、スポンジ材、金属繊維材、のうちいずれか一の素材を用いて成形したものであることを特徴とする綿棒状クリーナ。
【請求項２】
清掃材本体を備える軸材の他端部に、
略球形の補助清掃材を備え、
この補助清掃材は、
綿材、スポンジ材、金属繊維材、のうちいずれか一の素材を用いて成形したものであり、
前記清掃材本体より小さな容積体となるよう成形したことを特徴とする請求項１記載の綿棒状クリーナ。
【請求項３】
清掃材本体を備える軸材の他端部に、
キューブ型の補助清掃材を備え、
この補助清掃材は、
綿材、スポンジ材、金属繊維材、のうちいずれか一の素材を用いて成形したものであり、
前記清掃材本体より小さな容積体となるよう成形したことを特徴とする請求項１記載の綿棒状クリーナ。
【考案の詳細な説明】
【技術分野】
【０００１】
本考案は、外観形状が綿棒状である小形の清掃／洗浄器具に関する。
【背景技術】
【０００２】
軸材の先端に球形の綿材を配した綿棒は、人体の各部、例えば耳孔や鼻腔などの清掃／洗浄の目的で使用されるが、人体以外の場所、例えばＰＣ用キーボード装置のボタンスイッチの隙間、電気製品のコンセントまわり、カーテンレール、クローゼットの開口部の隅部など、細かい場所、小さな面積のところの清掃／洗浄に用いることもある。
【０００３】
従来、綿棒に関する提案としては、下記特許文献１、２がある。
【０００４】
特許文献１は、軸材を中空プラスチックとして、適宜箇所に蛇腹を設けたものである。飲料用ストローと同様、蛇腹を介して屈曲角度を自由にできるようにすることで、使用上の利便を向上させるものである。
【０００５】
特許文献２は、軸材の端部に設ける綿材の色を異なるカラーとして、使用済みの綿材（綿塊）がどちらであったかを容易に判別できるようにしたものである。
【先行技術文献】
【特許文献】
【０００６】
【特許文献１】特開２０１３−２３３２３１号
【特許文献２】特開２００８−２７２３９６号
【考案の開示】
【考案が解決しようとする課題】
【０００７】
ところで、従来の綿棒は、軸材の先端に設けた球形綿材が吸水性をもつので、洗浄液を使用することで、狭い部分や細い箇所の洗浄／清掃にも適する。
【０００８】
しかしながら、従来の綿棒は、軸材の先端に配する綿材が略球形であるため、対象物との接触状態が、点接触または線接触となる。
【０００９】
このため、洗浄／清掃時における、対象物の汚れを落とすときの動作に、必然的に多数回の往復運動を要し、効率的な清掃／洗浄が難しい。点接触または線接触では、一回の清掃動作で落とせる汚れの面積量が少ないからである。また、略球形の綿塊では、角張った場所の清掃が困難となる場合もある。例えばＰＣ用モニタ画面の四隅、窓の開口の四隅などである。
【００１０】
そこで、本考案の目的は、綿棒類似のクリーナであって、より効率的に小さな面積部分や角部における洗浄／清掃の効率を向上させることにある。
【課題を解決するための手段】
【００１１】
前記目的を達成するため、本考案に係る綿棒状クリーナは、長手寸法が１５ｃｍ以下の軸材の少なくとも一方の端部に、キューブ型の清掃材本体を備え、該清掃材本体は、綿材、スポンジ材、金属繊維材、のうちいずれか一の素材を用いて成形する（請求項１）。
【００１２】
軸材の端部に設ける清掃材本体を、略立方体形状を呈するキューブ型とするので、洗浄／清掃対象物と清掃材本体との接触状態を略面接触状態とすることが容易となり、一回の払拭動作で当接させる面積を、従来の点接触や線接触よりも飛躍的に拡大させることが出来る。また、角部の洗浄も容易となる。
【００１３】
清掃材本体は、綿材、スポンジ材、金属繊維など、成形後に保水性を有するものを使用するから、洗浄液など、各種の界面活性材を含ませて洗浄／清掃を行うことが出来る。水分を含ませない、いわゆる、から拭きも可能である。
【００１４】
清掃材本体は、軸材の一方の端部に設けるだけでも良いし、軸材の両方の端部に設けても良い。
【００１５】
清掃材本体を備える軸材の他端部に、略球形の補助清掃材を備え、この補助清掃材は、綿材、スポンジ材、金属繊維材、のうちいずれか一の素材を用いて成形したものであり、前記清掃材本体より小さな容積体（略球形）となるよう成形する（請求項２）。
【００１６】
洗浄／清掃の作業では、単に接触面積を拡大するよりも、接触圧力を大きくする方が好ましい場合もある。この場合は、面接触よりも線接触または点接触とする方が好ましい。補助清掃材を略球形とすれば、対象物との接触圧が増すので、こびりついた汚れの洗浄等、面接触での洗浄に較べて効果的な洗浄／清掃効果を得ることが出来る場合がある。
【００１７】
清掃材本体を備える軸材の他端部に、キューブ型の補助清掃材を備え、この補助清掃材は、綿材、スポンジ材、金属繊維材、のうちいずれか一の素材を用いて成形したものであり、前記清掃材本体より小さな容積体となるよう成形する場合がある（請求項３）。
【００１８】
これは軸材の端部に、キューブ状を呈する清掃材本体と補助清掃材を設ける構成である。補助清掃材を清掃材本体より小さな容積体（立方体形状）とすることで、より細かな角部の汚れを洗浄する機能を果たせるようにすることが出来る。
【考案の効果】
【００１９】
本考案に係る綿棒状クリーナによれば、小さな面積部分や細かい角部の、洗浄／清掃の効率を向上させることが出来る。
【図面の簡単な説明】
【００２０】
【図１】第一の実施形態に係る綿棒状クリーナを示す図である。
【図２】図１に示す綿棒状クリーナの使用例を示す第一の図である。
【図３】図１に示す綿棒状クリーナの使用例を示す第二の図である。
【図４】図１に示す綿棒状クリーナの他の使用例を示す図である。
【図５】第二の実施形態に係る綿棒状クリーナを示す図である。
【考案を実施するための形態】
【００２１】
図１は、実施形態に係る綿棒状クリーナの一例を示すものである。
【００２２】
この綿棒状クリーナ１０は、長手寸法が１５ｃｍ以下の軸材１１の少なくとも一方の端部に、キューブ型の清掃材本体２０を備え、軸材１１の他端部に略球形の補助清掃材３０を備えるものである。外観上は、綿棒に類似した形状と寸法を呈する。
【００２３】
軸材１１は、例えば、紙、プラスチック、木などで作る。綿棒と同様に、使い捨てを前提とするので、清掃時にかかる外力に耐える程度の剛性があれば良い。若干の柔軟性（可撓性）があると、より好ましい。
【００２４】
綿棒類似ではあるが、この綿棒状クリーナ１０は、身体以外の清掃等に使用するものであるから、軸材１１の長さは、一般的な綿棒よりも若干長寸でも良い。
【００２５】
普通の綿棒軸材の長さは、通常８ｃｍ程度であるが、窓の開口部のコーナー部のように、奥行き寸法が８ｃｍを超える部分で使用するときには、もう少し軸材１１の長さを大きくした方が好ましい場合もあるからである。但し、使い捨てを前提とするものであるから、１５ｃｍ以上の寸法には設定しない。通常は、８〜１５ｃｍ程度の範囲で製造し、製造コストも抑える。
【００２６】
軸材１１の端部に設ける清掃材本体２０は、キューブ型（略立方体形状）に成形する。キューブ型とするのは、面の清掃では面接触でき、隅角部の清掃ではコーナー部と線接触するので、効率的な清掃が可能となるからである。綿棒のような球体の場合は、面の清掃において線接触または点接触であるし、隅角部の清掃ではコーナーに接触しないこともあるので、キューブ型とすることにより、清掃効率と確実性が確実に向上する。
【００２７】
清掃材本体２０は、水分を含むことが出来る素材である綿材、スポンジ材、金属繊維材を用いて、加圧成形等によりキューブ型に成形する。綿材や金属繊維材の加圧成形時には、プレス加工後にも立方体形状を保つように、被膜形成能力の高い適宜の樹脂材、例えば、カルボキシベタイン系の樹脂材等を用いることが望ましい。適宜の発泡樹脂を用いるスポンジは、立方体形状に切断加工した後も形状を保持するので、通常の場合、被膜形成樹脂を使用する必要はない。
【００２８】
清掃材本体２０は、必ずしも正立方体である必要はなく、縦／横／高さの寸法に違いがある直方体でも良い。用いる場所によっては、直方体の方が好ましい場合があるからである。但し、使い捨てを前途とするので、清掃材本体２０の一辺の寸法Ｗ１は、最大でも２０ｍｍ以下とすることが望ましい。汎用性のある通常使用の場合、好ましくは、５〜１５ｍｍとする。
【００２９】
補助清掃材３０は、水分を含むことが出来る素材である綿材、スポンジ材、金属繊維材を用いて、略球形に成形する。綿材を用いる場合は、従来の綿棒と同様に、巻き付け成形により球状塊とすることが出来る。スポンジ材を用いるときは、射出成形や切削成形し、金属繊維材の場合は、プレス成形によって球状塊にすることが出来る。形状保持のため、成形用樹脂を用いても良い。
【００３０】
補助清掃材３０は、清掃対象面に対して線接触または点接触することによって、比較的強い圧力をもって清掃／洗浄効果を発揮するものである。
【００３１】
補助清掃材３０は、完全な球体とする必要はなく、断面略楕円を呈する楕円球体であって良い。完全な球体は点接触になるが、楕円形の球体であれば側面が線接触となるので、清掃効率の点では好ましいからである。
【００３２】
補助的な使用目的なので、補助清掃材３０は、清掃材本体２０に較べて容積を小さく設定して構わない。補助清掃材３０の長手寸法をＷ２、短手寸法をＷ３とした場合、Ｗ２＞Ｗ１、あるいはＷ２＝Ｗ１となることがあっても良いが、常にＷ３＜Ｗ２である。どのようなケースでも補助清掃材３０の容積は、清掃材本体２０よりも小さくなるよう設計する。
【００３３】
従って、かかる構成によれば、例えば図２、図３に示すように、水平材４１と垂直材４２の接合角部Ｑを清掃するとき、キューブ型の清掃材本体２０を前後動させれば、接合ラインＰまで容易に汚れを落とすことが出来る。清掃材本体２０の下角ライン２０−１が、接合ラインＰに当接して前後動するからである。
【００３４】
これと同時に、接合角部Ｑの一般面（図２の斜線部分）の汚れは、清掃材本体２０の側面２０−２の前後動作によって払拭できる。
【００３５】
清掃材本体２０の前後動によって落ちなかった汚れは、補助清掃材３０を使った線接触または点接触により、接触圧力を高めた前後動作によって払拭できる。
【００３６】
本考案に係る綿棒状クリーナ１０は、コーナー部の清掃／洗浄だけではなく、例えば、図４に示すようにＰＣ用キーボード装置の押圧ボタン５１の清掃等、面積が小さい箇所の清掃にも適する。
【００３７】
押圧ボタン５１の上面５２は、若干凹湾曲しているが、略平面なので、清掃材本体２０の側面（下側側面）２０−２を使って面接触状態で前後動させることにより、従来の綿棒を使った清掃以上に簡単な汚れ落としが出来る。押圧ボタン５１同士の隙間Ｓの汚れは、補助清掃材３０を使って落とすことが出来る。
【００３８】
補助清掃材３０は、略球形状であるが、狭い隙間に差し込んだときは変形して面接触の状態になるので、単なる線接触とは異なる清掃効率を発揮する。
【００３９】
本考案に係る綿棒状クリーナ１０は、図５に示すように、補助清掃材３０−２をキューブ型としても良い。
【００４０】
この場合は、補助清掃材３０−２の一辺の寸法Ｗ２を、清掃材本体２０の一辺の寸法Ｗ１よりも小さく（Ｗ２＜Ｗ１）する等、清掃材本体２０よりも容積（側面面積）が小さくなるようにする。
【００４１】
同じ力で前後動の清掃動作を行っても、清掃材本体２０の寸法（Ｗ１）よりも一辺の寸法Ｗ２が小さければ（側面面積が小さければ）、面接触時の圧力が大きくなるので、こびりついた汚れなどを落としやすくなるからである。
【００４２】
キューブ型の補助清掃材３０−２は、清掃材本体２０と同様、綿材、スポンジ材、金属繊維材を用いて、加圧成形等によりキューブ型に成形する。綿材または金属繊維を用いる場合は、形状保持のため、成形用樹脂材を用いることが好ましい。
【符号の説明】
【００４３】
１０  綿棒状クリーナ
１１  軸材
２０  清掃材本体
２０−１  清掃材本体（２０）の下角ライン
２０−２  清掃材本体（２０）の側面
３０、３０−２  補助清掃材
４１  水平材
４２  垂直材
５１  押圧ボタン
５２  押圧ボタンの上面
Ｐ  接合ライン
Ｑ  接合角部
Ｓ  隙間
Ｗ１  清掃材本体（２０）の一辺の寸法
Ｗ２  補助清掃材（３０）の長手寸法
Ｗ３  補助清掃材（３０）の短手寸法
【図１】
0003197396.tif 000003
【図２】
0003197396.tif 000004
【図３】
0003197396.tif 000005
【図４】
0003197396.tif 000006
【図５】
0003197396.tif 000007